(57)【要約】【課題】  本発明の課題は、ドーマント状態からアクティブ状態と遷移させるデータリンク起動を通信相手サーバからのデータ受信により行うデータ通信システムを提供することにある。【解決手段】  移動機端末とデータ通信を行うデータ通信システムにおいて、移動機端末との無線区間のデータリンク状態に基づいて、移動機端末とのデータリンク状態を制御するデータリンク制御手段を備える。【選択図】  図1
2005123906.tif 000002
【特許請求の範囲】
【請求項１】
移動機端末とデータ通信を行うデータ通信システムにおいて、
前記移動機端末との無線区間のデータリンク状態に基づいて、前記移動機端末とのデータリンク状態を制御するデータリンク制御手段を備えることを特徴とするデータ通信システム。
【請求項２】
通信ネットワークに接続されたゲートウエイ装置であって、
サーバから前記通信ネットワークを介して送信されたデータを受信する受信手段と、
データリンク確立の制御を行うデータリンク制御手段と
を備え、
前記データリンク制御手段は、移動機端末との無線区間がデータリンク解放状態の場合に、前記サーバからのデータ受信に基づいて、前記移動機端末に対してデータリンク起動要求信号を送信し、前記移動機端末から送信されたデータリンク接続要求信号に基づいて、前記移動機端末とのデータリンクの確立を制御することを特徴とするゲートウエイ装置。
【請求項３】
請求項２に記載のゲートウエイ装置において、
前記移動機端末との無線区間がデータリンク解放状態の場合、前記サーバから受信したデータを代行受信する代行受信手段をさらに備え、
前記データリンク制御手段は、
前記移動機端末との無線区間がデータリンク確立状態になった場合に、前記代行受信手段に受信されたデータを前記移動機端末に転送することを特徴とするゲートウエイ装置。
【請求項４】
請求項３に記載のゲートウエイ装置において、
前記代行受信手段にデータが受信されていることを前記移動機端末に通知する通知手段をさらに備えることを特徴とするゲートウエイ装置。
【請求項５】
移動機端末と、通信ネットワークに接続されたゲートウエイ装置とを備えるデータ通信システムにおけるデータリンク起動方法であって、
サーバからデータを受信するステップと、
前記移動機端末との無線区間がデータリンク解放状態の場合に、前記サーバからのデータ受信に基づいて、前記移動機端末に対してデータリンク起動要求信号を送信するステップと、
前記移動機端末から送信された接続要求信号に基づいて、接続応答信号を送信するステップと
を有することを特徴とするデータリンク起動方法。
【請求項６】
請求項５に記載のデータリンク起動方法において、
前記移動機端末との無線区間がデータリンク解放状態の場合、前記サーバから受信したデータを代行受信するステップと、
前記移動機端末との無線区間がデータリンク確立状態になった場合に、前記代行受信されたデータを前記移動機端末に転送するステップと
をさらに有することを特徴とするデータリンク起動方法。
【請求項７】
請求項６に記載のデータリンク起動方法において、
前記サーバから送信されたデータが代行受信されていることを前記移動機端末に通知するステップをさらに有することを特徴とするデータリンク起動方法。
【請求項８】
移動機端末と、通信ネットワークに接続されたゲートウエイ装置とを備えるデータ通信システムにおけるデータリンク起動方法であって、
サーバから送信されたデータを代行受信するステップと、
前記移動機端末との無線区間がデータリンク確立状態になった場合に、前記代行受信されたデータを前記移動機端末に転送するステップと
を有することを特徴とするデータリンク起動方法。
【請求項９】
通信ネットワークに接続されたゲートウエイ装置とデータ通信可能な移動機端末であって、
前記ゲートウエイ装置からのデータリンク起動要求信号を受信する受信手段と、
前記データリンク起動要求信号に基づいて、前記ゲートウエイ装置とのデータリンクの確立を行うデータリンク起動手段と
を備えることを特徴とする移動機端末。
【請求項１０】
移動機端末と、通信ネットワークに接続されたゲートウエイ装置とを備えるデータ通信システムであって、
前記移動機端末は、
前記ゲートウエイ装置からのデータリンク起動要求信号を受信する受信手段と、
前記データリンク起動要求信号に基づいて、前記ゲートウエイ装置とのデータリンクの確立を行うデータリンク起動手段と
を備え、
前記ゲートウエイ装置は、
サーバから前記通信ネットワークを介して送信されたデータを受信する受信手段と、
データリンク確立の制御を行うデータリンク制御手段と
を備え、
前記データリンク制御手段は、移動機端末との無線区間がデータリンク解放状態の場合に、前記サーバからのデータ受信に基づいて、前記移動機端末に対してデータリンク起動要求信号を送信し、前記移動機端末から送信されたデータリンク接続要求信号に基づいて、前記移動機端末とのデータリンクの確立を制御することを特徴とするデータ通信システム。
【発明の詳細な説明】
【技術分野】
【０００１】
本発明は、伝送手段制御機能、例えばＩＳＤＮ(Integrated Service Digital Network)等を使用したデータリンク制御手順であるドーマント方式を用いたデータリンク起動方法およびデータ通信システムに関する。
【背景技術】
【０００２】
ドーマント方式を用いたデータ通信システムにおいて、無線区間休止中であるドーマント（Ｄｏｒｍａｎｔ）状態から無線区間使用中であるアクティブ（Ａｃｔｉｖｅ）状態とするデータリンクを確立させるための起動（以下、データリンク確立起動という）は、ユーザが移動機端末を操作し、データ通信要求（再接続要求）をＧＷ（ゲートウエイ）装置に対して行うことにより実行される。この操作により、移動機端末とＧＷ装置とが再接続され、上位レイヤーによる通信が行われる。
【０００３】
図８（ａ）は、従来のデータ通信システムを説明するための構成図である。従来のデータ通信システムは、ドーマント機能を有するネットワーク通信機能を備えた移動機端末１０１と、移動機端末１０１に対応した基地局(図示なし)と、移動機端末１０１と基地局およびネットワーク１０４を介して接続されたGW装置１０２と、GW装置１０２とネットワーク１０５を介して接続されたサーバ３とを備える。
【０００４】
このデータ通信システムにおいて、移動機端末１０１とＧＷ装置１０２間の回線状態をドーマント（Ｄｏｒｍａｎｔ）状態から無線区間使用中であるアクティブ（Ａｃｔｉｖｅ）状態とするデータリンク確立起動は、移動機端末側からのみ実行できる。すなわち、図８（ｂ）に示す従来のデータ通信システムにおける通信状態の遷移図において、ドーマント状態からActive状態への遷移（データリンク確立起動１）は、移動機端末１０１が、「再接続要求」（MITF(Mobile Internet Access Form)ダイヤルアップ・ドーマント・メッセージ）をGW装置１０２に対して送信することにより行われる。
【０００５】
また、データリンクが確立され、データ通信が行われている最中に、ドーマント状態となった場合にデータ通信を継続させるためには、通信相手サーバ１０３からのデータリンク確立起動ができないため、移動機端末１０１によるデータリンク確立起動が必要である。
【０００６】
一方、サーバからのデータ受信に基づき起動対象を制御する技術が開示されている。この技術は、クライアントとサーバ間でホットリンクを確立して、クライアントがサーバから更新処理通知メッセージを受信すると、クライアントの起動手段がエンドユーザプログラムを起動させ、サーバによる更新処理に応じてマクロ言語で記述された所定の処理が実行されるというものである（例えば、特許文献１参照）。
【特許文献１】特開平０９−２６８８１
【発明の開示】
【発明が解決しようとする課題】
【０００７】
しかしながら、従来のデータ通信システムでは、無線区間休止中であるドーマント状態から無線区間使用中であるアクティブ状態へのデータリンク確立起動は、移動機端末１０１からのみ可能である。したがって、無線区間中止中であるドーマント状態の場合に通信相手サーバ１０３がデータを送信しようとしても通信相手サーバ１０３側からのデータリンク起動はできない。
【０００８】
通信アプリケーションの多様化に伴い、例えば、移動機端末１０１と通信相手サーバ１０３との間で対話形式により通信を行うアプリケーションが使用された場合には、無線区間休止中であるドーマント状態から無線区間使用中であるアクティブ状態へのデータリンク確立起動を、移動機端末１０１側から実行するだけではない場合があるが、通信相手サーバ１０３がデータを送信しようとしてもデータリンク確立起動ができない。
【０００９】
このため、対話形式アプリケーションなどの双方向通信を利用するアプリケーションを用い、無線区間がドーマント状態である場合に、通信相手サーバ１０３からデータを送信しようとしても、移動機端末１０１とＧＷ装置１０２とのデータリンク未確立のため移動機端末１０１に送信されず、通信相手サーバ１０３には受信応答がされない。このため、通信が不成立となる。
【００１０】
そこで本発明においては、無線区間休止であるドーマント状態から無線区間使用中であるアクティブ状態へのデータリンク確立起動を通信相手サーバからのデータ受信により行うためのデータリンク起動方法およびデータ通信システムを提供することを課題としている。
【課題を解決するための手段】
【００１１】
上記課題を解決するため、本発明のデータ通信システムでは、移動機端末との無線区間のデータリンク状態に基づいて、移動機端末とのデータリンク状態を制御するデータリンク制御手段を備えることを特徴としている。
【００１２】
また、本発明のゲートウエイ装置では、サーバから通信ネットワークを介して送信されたデータを受信する受信手段と、データリンク確立の制御を行うデータリンク制御手段とを備え、データリンク制御手段は、移動機端末との無線区間がデータリンク解放状態の場合に、サーバからのデータ受信に基づいて、移動機端末に対してデータリンク起動要求信号を送信し、移動機端末から送信されたデータリンク接続要求信号に基づいて、移動機端末とのデータリンクの確立を制御することを特徴としている。
【００１３】
そして、移動機端末との無線区間がデータリンク解放状態の場合、サーバから受信したデータを代行受信する代行受信手段をさらに備え、データリンク制御手段は、移動機端末との無線区間がデータリンク確立状態になった場合に、代行受信手段に受信されたデータを移動機端末に転送するようにしてもよい。さらに、代行受信手段にデータが受信されていることを移動機端末に通知する通知手段を備えるようにしてもよい。
【００１４】
また、本発明のデータリンク起動方法は、移動機端末と、通信ネットワークに接続されたゲートウエイ装置とを備えるデータ通信システムにおけるデータリンク起動方法であって、サーバからデータを受信するステップと、移動機端末との無線区間がデータリンク解放状態の場合に、サーバからのデータ受信に基づいて、移動機端末に対してデータリンク起動要求信号を送信するステップと、移動機端末から送信された接続要求信号に基づいて、接続応答信号を送信するステップと  を有することを特徴としている。
【００１５】
そして、移動機端末との無線区間がデータリンク解放状態の場合、サーバから受信したデータを代行受信するステップと、移動機端末との無線区間がデータリンク確立状態になった場合に、代行受信されたデータを移動機端末に転送するステップとをさらに有するようにしてもよい。さらに、サーバから送信されたデータが代行受信されていることを移動機端末に通知するステップを有するようにしてもよい。
【００１６】
また、本発明の他のデータリンク起動方法は、移動機端末と、通信ネットワークに接続されたゲートウエイ装置とを備えるデータ通信システムにおけるデータリンク起動方法であって、サーバから送信されたデータを代行受信するステップと、移動機端末との無線区間がデータリンク確立状態になった場合に、代行受信されたデータを移動機端末に転送するステップとを有することを特徴としている。
【００１７】
また、本発明の移動機端末は、通信ネットワークに接続されたゲートウエイ装置とデータ通信可能な移動機端末であって、ゲートウエイ装置からのデータリンク起動要求信号を受信する受信手段と、データリンク起動要求信号に基づいて、ゲートウエイ装置とのデータリンクの確立を行うデータリンク起動手段とを備えることを特徴としている。
【００１８】
また、本発明のデータ通信システムは、移動機端末と、通信ネットワークに接続されたゲートウエイ装置とを備えるデータ通信システムであって、移動機端末は、ゲートウエイ装置からのデータリンク起動要求信号を受信する受信手段と、データリンク起動要求信号に基づいて、ゲートウエイ装置とのデータリンクの確立を行うデータリンク起動手段とを備え、ゲートウエイ装置は、サーバから通信ネットワークを介して送信されたデータを受信する受信手段と、データリンク確立の制御を行うデータリンク制御手段とを備え、データリンク制御手段は、移動機端末との無線区間がデータリンク解放状態の場合に、サーバからのデータ受信に基づいて、移動機端末に対してデータリンク起動要求信号を送信し、移動機端末から送信されたデータリンク接続要求信号に基づいて、移動機端末とのデータリンクの確立を制御することを特徴としている。
【発明の効果】
【００１９】
本発明の実施の形態によれば、無線区間休止中であるドーマント状態から無線区間使用中であるアクティブ状態へと遷移させるデータリンクを確立させるため、ＧＷ装置は通信相手サーバからのデータ受信を契機に、移動機端末に対して、データリンク起動要求信号を通知する手段を備える。このようにすることにより、移動機端末からＧＷ装置へデータリンク確立起動を行わせることができるため、通信相手サーバからのデータ受信に基づいてデータリンクを確立できる。
【００２０】
また、通信相手サーバから送信されたデータの受信を契機にドーマント状態からアクティブ状態とするデータリンク確立起動を移動機端末からできるようにした。このようにすることにより、多様な通信アプリケーションへの対応などの理由でドーマント状態となった場合に、データ通信を継続させるデータリンクの確立を通信相手サーバからできる。このため、ドーマント方式を用いた通信において、エンドエンド間での多様な通信アプリケーションにおけるデータ通信サービスの提供が可能になる。
【００２１】
また、ＧＷ装置から送信されるデータリンク起動要求信号による移動機端末のデータリンク確立起動からデータリンク確立が行われるまでに、通信相手サーバから送信されたデータを代行受信する手段をＧＷ装置に備え、さらに、代行受信する手段にデータが記憶されている旨を移動機端末に通知する手段を備えることにより、データリンク確立が行われた後、データリンク確立時に受信したデータを移動機端末に転送することができる。
【００２２】
また、無線区間フリー状態から、移動機端末にデータリンク確立起動を行わせる場合においても、通信相手サーバから送信されたデータを代行受信する手段を備え、さらに、代行受信する手段にデータが記憶されている旨を移動機端末に通知する手段を備えることにより、代行受信されたデータを移動機端末に転送することができる。
【００２３】
また、通信相手サーバから送信されたデータを代行受信する手段を備えたことにより、通信相手サーバとの通信が不成立となることを防ぐことができる。
【発明を実施するための最良の形態】
【００２４】
次に、本発明の実施の形態について図面を参照して説明する。
なお、実施の形態を説明するための全図において、同一機能を有するものは同一符号を用い、繰り返しの説明は省略する。
【００２５】
図1（ａ）は、本発明の実施の形態にかかるデータ通信システムを示す構成図である。
本発明にかかるデータ通信システムは、ドーマント機能を有するネットワーク通信機能を備えた移動機端末１と、移動機端末1に対応した基地局(図示なし)と、移動機端末１と基地局およびネットワーク４を介して接続されたGW装置２と、GW装置２とネットワーク５を介して接続されたサーバ３とを備える。
【００２６】
例えば、移動機端末１としては、ＰＩＡＦＳ(PHS Internet Access Forum Standard)などネットワーク通信機能を備えたネットワークカードを搭載した携帯情報端末やＰＨＳ(Personal Handy Phone)などを用いる。この場合、ネットワーク４としては、回線交換網などを用いる。このネットワーク４には、例えばイーサネット（登録商標）などの有線ＬＡＮ(Local Area Network)によりＧＷ装置２が接続されている。このＧＷ装置２は、移動機端末1とＧＷ装置２との回線がドーマント状態であるときに、サーバ3からのデータ受信を契機として、移動機端末１に対して、データリンク確立起動を要求する信号（データリンク起動要求信号）を送信する。また、ＧＷ装置２は、ネットワーク５、例えば、インターネットと接続され、インターネットに接続されたサーバ１０３とのデータ通信を行うことができる。
【００２７】
次に、本実施例にかかるデータ通信システムにおける通信状態について説明する。図1（ｂ）は、データ通信システムにおける通信状態を示す状態遷移図である。
【００２８】
ここで、Ｆｒｅｅ状態、Ａｃｔｉｖｅ状態、ドーマント状態について説明する。
【００２９】
Ｆｒｅｅ状態とは、移動機端末１とＧＷ装置２とのデータリンクが解放され、移動機端末1とGW装置２との無線区間が接続されていない状態である。Ａｃｔｉｖｅ状態とは、移動機端末1とGW装置２との無線回線が接続され、サーバ３との間で通信が行われている状態である。ドーマント状態とは、移動機端末１とＧＷ装置２とのデータリンクが解放されているが、GW装置２とインターネットとの接続は維持したままで、移動機端末１とGW装置２との間の無線回線のみを休止状態とし、実際のデータのやり取りをしていない状態である。すなわち、ドーマント状態とは、ネットワーク４を介して移動機端末1とＧＷ装置２との無線回線が接続された状態で、移動機端末１とサーバ３との間の通信が一定時間ない場合に、ＭＩＴＦダイヤルアップ・ドーマント・プロトコルに基づいて、移動機端末１とＧＷ装置２との間の回線が切断された状態である。この場合、移動機端末１とＧＷ装置２との間の物理層レベルのリンクが解除される。
【００３０】
本実施の形態における通信状態の遷移について説明する。まず、Ｆｒｅｅ状態において、データリンクの確立起動が行われるとアクティブ状態に遷移する（データリンク確立起動２）。次に、アクティブ状態において、データリンクの解放が行われるとＦｒｅｅ状態に遷移し（データリンク解放）、また一定時間経過しタイムアウトとなるとドーマント状態に遷移する（タイムアウト１）。
【００３１】
次に、ドーマント状態において、一定時間経過しタイムアウトとなるとＦｒｅｅ状態に遷移し（タイムアウト２）、またデータリンク確立のための起動が行われるとアクティブ状態に遷移する（データリンク確立起動１、データリンク確立起動３）。
【００３２】
次に、移動機端末１、ＧＷ装置２、サーバ３について説明する。図２は、本実施の形態にかかるデータ通信システムを構成する移動機端末１、ＧＷ装置２、サーバ３を説明するためのブロック図である。
【００３３】
移動機端末１は、データリンク起動部１−１を備える。データリンク起動部１−１は、ＧＷ装置２から送信されたデータリンク起動要求信号に基づいて、ＧＷ装置２との間のデータリンク確立起動を行う。なお、移動機端末１の通信起動操作によっても、ＧＷ装置２との間のデータリンク確立起動は行われる。
【００３４】
ＧＷ装置２は、ＵＵＩ(User-User Information)制御部２−１と、ＵＵＩ制御部２−１に接続されたデータ受信部２−２と、データ受信部２−２に接続されたデータリンク制御部２−３と、認証処理部２−４と、データ受信部２−２、データリンク制御部２−３、および認証処理部２−４に接続された代行受信部２−５と、代行受信部２−５に接続された記憶部２−６とを備える。
ＵＵＩ制御部２−１は、移動機端末識別番号と、移動機端末識別番号に対応するＩＰアドレスとを記録したデータベースを備える。ＵＵＩ制御部２−１は、移動機端末1との無線区間がドーマント状態の時に、サーバ３からデータを受信すると、データベースを参照して、通信先ＩＰアドレスに対応する移動機端末識別番号を求める。次に、求められた移動機端末識別番号を有する移動機端末に対してUUI-INFOを送信する。
【００３５】
例えば、ＩＳＤＮ回線のＤチャネル通信を利用して、呼制御情報の中にデータリンク起動要求を付加して送信する。このようにすることにより、ダイヤルアップ接続していなくても、ＧＷ装置２は移動機端末１にデータリンク起動要求を送信できる。さらに、Ｐｕｓｈによりデータリンク起動要求信号の送信を行うことにより、移動機端末１の電源がＯＦＦの状態であっても、データリンク起動要求信号の受信により自動的に電源ＯＮ状態に移行させることができるため、移動機端末１にデータリンク確立起動を行わせることができる。
【００３６】
データ受信部２−２は、サーバから送信されたデータの受信を行う。移動機端末１とＧＷ装置２との無線区間がドーマント状態の時には、その旨をＵＵＩ制御部２−１に通知するとともに、代行受信部２−５に受信したデータを入力する。移動機端末１とＧＷ装置２との無線区間がアクティブ状態の時には、受信したデータを移動機端末1に転送する。
【００３７】
データリンク制御部２−３は、移動機端末1とのデータリンク確立の制御を行う。
【００３８】
代行受信部２−５は、移動機端末１との無線区間をドーマント状態からActive状態にできなかった場合、例えば、移動機端末1の電源がＯＦＦ、電波状況等で通信ができない、移動機端末1が圏外であるなどの理由により、アクティブ状態にできない場合に、サーバ３が送信したデータを代行受信し、記憶部２−６に記憶蓄積する。また、認証処理部２−４に、記憶部２−６にデータが代行受信されている旨を通知する。
代行受信部２−５を設けることにより、移動機端末１からUUI-INFOに対する応答がなかった場合においても、サーバ３から送信されたデータをGW装置２に蓄積することができるため、その後、移動機端末１とGW装置２とのデータリンクが確立した場合に蓄積されたデータを転送できる。
認証処理部２−４は、移動機端末1の認証処理を行う。また、代行受信が行われ、記憶部２−６にデータが蓄積されている旨を、移動機端末１へ再接続応答信号に付加して送信する。
【００３９】
次に、本実施の形態にかかるデータ通信システムの動作について、図３を参照して説明する。
【００４０】
ここでは、移動機端末１とＧＷ装置２間の無線区間がドーマント状態の場合に、サーバ３からデータが送信された場合について説明する。
まず、移動機端末１とＧＷ装置２との無線区間は、ドーマント状態である（ステップS１）。サーバ３からデータが送信されると、ＧＷ装置2のデータ受信部２−２はそのデータを受信する（ステップS２）。データ受信部２−２が受信したデータは、移動機端末１とＧＷ装置２との無線区間がドーマント状態であるため、移動機端末１に転送されず、代行受信部２−５に入力され、記憶部２−６に保存蓄積される（ステップS３）。
【００４１】
一方、サーバ３からのデータ受信を契機として、データ受信部２−２からドーマント状態である旨を通知されたＵＵＩ制御部２−１は、データベースを参照して、通信宛先ＩＰに対応する移動機端末識別番号の検索を行う（ステップS４）。次に、求められた移動機端末識別番号を有する移動機端末に対してUUI-INFOを送信する（ステップS５）。UUI-INFOは、通信宛先ＩＰに対応する移動機端末に受信され（ステップS６）、UUI-INFOを受信した移動機端末１のデータリンク起動部１−１は、データリンク確立起動を行う（ステップS７）。
移動機端末１は、ＧＷ装置２に対して、再接続要求信号を送信することにより認証要求（再接続要求）を行う。その再接続要求をＧＷ装置２が受信し（ステップS8：要求あり）、かつ移動機端末１がUUI-INFOの受信に基づいて再接続要求信号を送信していた場合（ステップS９：UUI-INFOあり）、ＧＷ装置２のデータリンク制御部２−３は、再接続応答信号を移動機端末１に送信する。再接続応答信号に基づいて、移動機端末１のデータリンク起動部１−１は、データリンク確立起動を行う（ステップS１０）。データリンク確立後、ＧＷ装置２のデータリンク制御部２−３は、代行受信部２−５における代行受信から移動機端末１による受信に切り替える（ステップS１１）。
【００４２】
また、移動機端末１からの再接続要求がＧＷ装置２に受信されなかった場合（ステップS8：要求なし）、また、移動機端末１がUUI-INFOの受信に基づいて再接続要求信号を送信していない場合（ステップS８：UUI-INFOなし）、ＧＷ装置２の代行受信部２−５は、代行受信を継続し（ステップS１２）、代行受信部２−５による受信が完了した場合に、認証処理部２-４は受信完了通知を行う（ステップS１３）。このように動作することにより、GW装置２は通信相手サーバ３からのデータ受信時に、移動機端末１とのデータリンクの確立ができない場合であっても代行受信できるため、通信相手サーバ３との通信を完了させることができる。
次に、移動機端末１とＧＷ装置２間の無線区間がドーマント状態の場合に、移動機端末1からデータを送信しようとする場合について、図４を参照して説明する。
【００４３】
移動機端末１とＧＷ装置２との無線区間はドーマント状態である（ステップS２１）。移動機端末１のデータリンク起動部１−１は認証要求信号（再接続要求信号）をＧＷ装置２に対して送信し（ステップS２２）、ＧＷ装置２のデータリンク制御部２−３は認証応答（再接続応答信号）を移動機端末１に送信する（ステップS２３）。
【００４４】
認証処理部２−４は、認証応答（再接続応答信号）に記憶部２−６にデータが代行受信されている旨の情報が付加されているか否かの判断を行う（ステップS２４）。
認証応答（再接続応答信号）に記憶部２−６にデータが蓄積されている旨の情報が付加されている場合（ステップS２４：蓄積あり）、ＧＷ装置２のデータリンク制御部２−３は、認証応答信号（再接続応答信号）を受信した移動機端末１とのデータリンクの確立後(ステップS２５)、記憶部２−６から移動機端末１へのデータ転送の確立を行う（ステップS２６）。
記憶部２−６から移動機端末１へのデータ転送後、代行受信部２−５からサーバ３へのデータ転送に切り替えることにより、サーバ３から移動機端末１へのデータ転送を行う（ステップS２７）。
一方、認証応答信号（再接続応答信号）に記憶部２−６にデータが蓄積されている旨の情報が付加されていない場合（ステップS２４：蓄積なし）、ＧＷ装置２のデータリンク制御部２−３は、認証応答信号（再接続応答信号）を受信した移動機端末１とのデータリンクの確立後(ステップS２８)、サーバ３と移動機端末１とのデータリンクを確立することにより、サーバ３から移動機端末１へのデータ転送を行う（ステップS２９）。
【００４５】
次に、本実施の形態にかかるデータ通信システムにおけるデータリンク確立シーケンスについて説明する。
まず、移動機端末1が圏内にあり、データリンク確立が成功する場合について、図５を参照して説明する。
【００４６】
まず、移動機端末１からＧＷ装置２の認証処理部２−４に対して認証要求（接続要求）が行われる（ステップS３１）。認証処理部２−４は、移動機端末１に対して認証応答（接続応答）を行う（ステップS３２）。認証応答（接続応答）を受信した移動機端末１のデータリンク起動部１−１は、データリンク確立起動を、ＧＷ装置2のデータリンク制御部２−３に対して行う（ステップS３３）。データリンク制御部２−３は、UUI制御部２−１および移動機端末１にIPの通知を行う（ステップS３４、ステップS３５）。この時、UUI制御部２−１は移動機端末１の識別番号を蓄積する。その後、移動機端末1とネットワーク１０５との接続が行われ、移動機端末１とサーバ３との通信が行われる（ステップS３６）。
【００４７】
移動機端末1とサーバ３との間のデータの送受信が一定時間行われず、タイムアウトとなった場合に、移動機端末1とＧＷ装置２との間の無線区間がドーマント状態となる（ステップS３７）。
【００４８】
このドーマント状態において、サーバ３からデータが送信されると、送信されたデータはＧＷ装置２のデータ受信部２−２により受信される（ステップS３８）。このデータ受信を契機として、データ受信部２−２は、UUI制御部２−１に対して、UUIの要求を行う（ステップS３９）。UUI制御部２−１はUUI-INFOにデータリンク起動要求を付加して移動機端末１に送信することにより、データリンク起動要求を行う（ステップS４０）。
【００４９】
一方、サーバ３から送信されたデータを受信したデータ受信部２−２は、代行受信部２−５に受信したデータを入力し（ステップS４１）、代行受信部２−５は記憶部２−６にそのデータを保存蓄積する。また、代行受信部２−５は認証処理部２−４に対して、代行受信が行われ、蓄積データがある旨を通知する（ステップS４２）。
【００５０】
移動機端末１は、UUI-INFOに付加されたデータリンク起動要求を受信すると、認証処理部２−４に対して、認証信号（再接続要求信号）を送信する（ステップS４３）。移動機端末１から認証信号（再接続要求信号）を受信した認証処理部２−４は認証応答（再接続応答信号）を移動機端末1に送信する（ステップS４４）。この認証応答には、代行受信が行われ、記憶部２−６にデータの蓄積がある場合には、その旨の情報が付加される。
【００５１】
認証応答を受信すると、移動機端末1のデータリンク起動部１−１は、ＧＷ装置２のデータリンク制御部２−３に対してデータリンク確立起動を行う（ステップS４５）。その結果データリンクが確立される（ステップS４６）。
【００５２】
データリンクが確立されると、記憶部２−６に蓄積されている代行受信されたデータが移動機端末１に送信される（ステップS４７）。代行受信されたデータの転送が終了すると、データリンク制御部２−３にその旨が通知される（ステップS４８）。データリンク制御部２−３は、データ受信部２−２に対して、代行受信されたデータの転送が終了した旨を通知し（ステップS４９）、代行受信部２−５からサーバ３へデータ転送を切り替える。その結果、データ受信部２−２は、サーバ３からのデータを受信し、データ受信部２−２は受信したデータを移動機端末1に転送する（ステップS５０）。
【００５３】
次に、移動機端末１が圏外にあり、データリンクが未確立となる場合について、図６を参照して説明する。
【００５４】
移動機端末１とＧＷ装置２との無線区間がドーマント状態になるまでは、図５の場合と同様であるため、説明を省略する。
ドーマント状態において、サーバ３からデータが送信されると、送信されたデータはＧＷ装置２のデータ受信部２−２により受信される（ステップS５１）。このデータ受信を契機として、データ受信部２−２は、UUI制御部２−１に対して、UUIの要求を行う（ステップS５２）。UUI制御部２−１はUUI-INFOにデータリンク起動要求を付加して移動機端末１に送信することにより、データリンク起動要求を行う（ステップS５３）。
【００５５】
一方、サーバ３から送信されたデータを受信したデータ受信部２−２は、代行受信部２−５に受信したデータを入力し（ステップS５４）、代行受信部２−５は記憶部２−６にそのデータを保存蓄積する。また、代行受信部２−５は認証処理部２−４に対して、代行受信が行われた旨を通知する（ステップS５５）。
【００５６】
移動機端末１は、圏外にあるため、UUI-INFOに付加されたデータリンク起動要求を受信することができないため、移動機端末１とＧＷ装置２との再接続を行うことができない。この状態で、サーバ３からのデータ送信が終了すると、代行受信部２−５はサーバ３に対して受信完了応答を送信する（ステップS５６）。
【００５７】
次に、データリンクが未確立のまま、代行受信が終了し、その後移動機端末1から再接続要求が行われる場合について、図７を参照して説明する。
【００５８】
移動機端末１とＧＷ装置２との無線区間がドーマント状態になり、代行受信が終了するまでは、図６の場合と同様であるため、説明を省略する。
【００５９】
代行受信が終了した後、移動機端末1から認証処理部２−４に対して、認証信号（再接続要求信号）の送信が行われると、移動機端末１から認証信号（接続要求信号）を受信した認証処理部２−４は認証応答信号（再接続応答信号）を移動機端末1に送信する（ステップS６２）。この認証応答信号（再接続応答信号）には代行受信が行われ記憶部２−６にデータの蓄積がある旨の情報が付加される。認証応答信号を受信した移動機端末1のデータリンク起動部１−１は、ＧＷ装置２のデータリンク制御部２−３に対してデータリンク確立起動を行う（ステップS６３）。その結果データリンクが確立される（ステップS６４）。
データリンクが確立されると、記憶部２−６に蓄積されている代行受信されたデータが移動機端末１に送信される（ステップS６５）。代行受信されたデータの転送が終了すると、データリンク制御部２−３にその旨が通知される（ステップS６６）。データリンク制御部２−３は、データ受信部２−２に対して、代行受信されたデータの転送が終了した旨を通知し（ステップS６７）、代行受信部２−５からサーバ３へデータ転送を切り替える。データ受信部２−２は、サーバ３からのデータを受信し、データ受信部２−２は受信したデータを移動機端末1に転送する（ステップS６８）。
【００６０】
上述した実施の形態では、ＵＵＩ制御部２−１が移動機端末１との無線区間がドーマント状態の場合に、サーバ３からのデータ受信を契機として、移動機端末識別番号を求める場合について説明したが、移動機端末１との無線区間がＦｒｅｅ状態であるときも同様の処理を行うようにしてもよい。このようにすることにより、サーバ３からのデータ受信を契機として、移動機端末１がＦｒｅｅ状態であっても、ＧＷ装置へデータリンク確立起動を行わせることができる。
【００６１】
また、上述した実施の形態では、ＧＷ装置２は、サーバ３からのデータ受信を契機として、移動体端末１にデータリンク起動要求信号を送信するとともにサーバ３から送信されたデータを代行受信する場合について説明したが、移動体端末1にデータリンク起動要求信号を送信せずに、サーバ３から送信されたデータを代行受信するようにしてもよい。すなわち、代行受信のみ行うようにしても有効である。このようにすることにより、サーバ３との通信を不成立にすることなく、移動機端末1は、サーバ３から送信されたデータを受信することができる。
【産業上の利用可能性】
【００６２】
本発明にかかるデータ通信システムは、伝送手段制御機能等を使用したデータリンク制御手順であるドーマント方式を用いたデータ通信無線システムに適用できる。
【図面の簡単な説明】
【００６３】
【図１】（ａ）は本実施の形態にかかるデータ通信システムを説明するための構成図であり、（ｂ）はデータ通信システムにおける通信状態を説明するための状態遷移図である。
【図２】本実施の形態にかかるデータ通信システムを構成する移動機端末、ＧＷ装置、サーバを説明するためのブロック図である。
【図３】本実施の形態にかかるデータ通信システムにおけるデータリンク確立起動の処理を説明するためのフローチャートである。
【図４】本実施の形態にかかるデータ通信システムにおけるデータリンク確立起動の処理を説明するためのフローチャートである。
【図５】本実施の形態にかかるデータ通信システムにおける移動機端末が圏内にあり、データリンク確立が成功する場合データリンク確立シーケンスを説明するためのシーケンス図である。
【図６】本実施の形態にかかるデータ通信システムにおける移動機端末が圏外にあり、データリンクが未確立となる場合についてのデータリンク確立シーケンスを説明するためのシーケンス図である。
【図７】本実施の形態にかかるデータ通信システムにおける移動機端末1から再接続要求が行われる場合についてのデータリンク確立シーケンスを説明するためのシーケンス図である。
【図８】（ａ）は従来のデータ通信システムを説明するための構成図であり、（ｂ）は従来のデータ通信システムにおける通信状態の遷移図である。
【符号の説明】
【００６４】
１、１０１  移動機端末
２、１０２  GW装置
３、１０３  サーバ
４、５、１０４、１０５  ネットワーク
【図１】
2005123906.tif 000003
【図２】
2005123906.tif 000004
【図３】
2005123906.tif 000005
【図４】
2005123906.tif 000006
【図５】
2005123906.tif 000007
【図６】
2005123906.tif 000008
【図７】
2005123906.tif 000009
【図８】
2005123906.tif 000010